(57)【要約】【課題】  ＬＥＤ素子からの光を取り入れるアクリル樹脂製の板に加工を施さないで、表示したい図柄や文字部分のみを発光させる電飾看板の提供。【解決手段】  上部に複数のＬＥＤ素子を直線的に配置したＬＥＤユニットと、該ＬＥＤユニットの上方に固定手段を介して立設されて、上記各ＬＥＤ素子からの光を下端面から取り入れるアクリル樹脂製の看板基板と、該看板基板の裏面側に貼付されるカッティングシートとから成り、上記ＬＥＤユニットは、防水のための樹脂コーティングが施され、上記カッティングシートは、表示したい図柄や文字の形状にカットして形成されて、その貼付面側に光を乱反射する加工が施され、上記ＬＥＤ素子からの光が上記看板基板の下端面から取り入れられた時には、当該光が上記カッティングシートの貼付面で乱反射することにより、表示したい図柄や文字部分のみを発光させることを特徴とする。【選択図】  図１
0003153712.tif 000002
【実用新案登録請求の範囲】
【請求項１】
上部に複数のＬＥＤ素子を直線的に配置したＬＥＤユニットと、該ＬＥＤユニットの上方に固定手段を介して立設されて、上記各ＬＥＤ素子からの光を下端面から取り入れるアクリル樹脂製の看板基板と、該看板基板の裏面側に貼付されるカッティングシートとから成り、上記ＬＥＤユニットは、防水のための樹脂コーティングが施され、上記カッティングシートは、表示したい図柄や文字の形状にカットして形成されて、その貼付面側に光を乱反射する加工が施され、上記ＬＥＤ素子からの光が上記看板基板の下端面から取り入れられた時には、当該光が上記カッティングシートの貼付面で乱反射することにより、表示したい図柄や文字部分のみを発光させることを特徴とする電飾看板。
【請求項２】
上記看板基板の表面側に、ガラス面などの平面に吸着する複数の吸盤を設けたことを特徴とする請求項１記載の電飾看板。
【考案の詳細な説明】
【技術分野】
【０００１】
本考案は、ＬＥＤ素子等の光源からの光を取り入れるアクリル樹脂製の板を利用した電飾看板に関するものである。
【背景技術】
【０００２】
従来のこの種電飾看板は、上部に複数のＬＥＤ素子を直線的に配置したＬＥＤユニットと、該ＬＥＤユニットの上方に固定手段を介して立設されて、上記各ＬＥＤ素子からの光を下端面から取り入れるアクリル樹脂製の導光板と、該導光板の表面側に配置される透光シートとから成り、上記導光板は、レーザーにより裏面側に複数の乱反射用の溝を画成したり、予め微粒子を混入させて形成したりする等の特殊加工を施され、上記透光シートは、その表面側に表示したい図柄や文字が印刷される構成となっている。
【０００３】
依って、上記構成の電飾看板にあっては、導光板に施された特殊加工により、該導光板の表面側が面発光して、透光シートを裏側から照らすので、図柄や文字等を含めた透光シート全体を明るく表示することが可能となるが、アクリル樹脂製の板からなる導光板の製造時に特殊加工を施さなければならないので、徒に製造工程が複雑となると共に、それに伴い、コストが高騰してしまうという問題点があった。
【０００４】
また、上記構成の電飾看板は、いわゆる内照式看板の代替光源として、アクリル樹脂製の板からなる導光板を利用しているにすぎないので、このままの構成では、表示したい図柄や文字部分のみを発光させることはできなかった。
【０００５】
そこで、表示したい図柄や文字部分のみを発光させる電飾看板として、アクリル樹脂製の板に上述した面発光のための特殊加工を施さないで、アクリル樹脂製の板の裏面側に、表示したい図柄や文字を彫り込んだり、レーザー加工で複数の凹状のドットを図柄や文字の形状となるように配列して形成したりする等の加工を施して、図柄や文字が印刷された透光シートを介さず、表示したい図柄や文字部分のみを発光させる電飾看板が提案されている（例えば、特許文献１参照）。
【先行技術文献】
【特許文献】
【０００６】
【特許文献１】特開２００２−３２８６３３号公報
【考案の概要】
【考案が解決しようとする課題】
【０００７】
斯かる従来の電飾看板にあっては、表示したい図柄や文字部分のみを発光させることができるので、伝えたい情報を強調して表示することができる利点を有するが、やはり、アクリル樹脂製の板の裏面側に加工を施さなければならないので、徒に製造工程が複雑となると共に、それに伴い、コストが高騰してしまうという問題点があった。
【０００８】
また、表示したい図柄や文字に変更が生じた場合には、改めて別のアクリル樹脂製の板の裏面側に加工を施さなければならないので、変更に係る作業が複雑となると共に、それに伴い、コストが高騰してしまうという新たな問題点が生じることとなっていた。
【０００９】
更に、従来の電飾看板にあっては、ＬＥＤユニットに何ら防水処理が施されていないので、屋外で使用することが困難であるという問題点もあった。
【課題を解決するための手段】
【００１０】
本考案は、斯かる事情に鑑み開発されたもので、請求項１記載の考案は、上部に複数のＬＥＤ素子を配列したＬＥＤユニットと、該ＬＥＤユニットの上方に固定手段を介して立設されて、上記各ＬＥＤ素子からの光を下端面から取り入れるアクリル樹脂製の看板基板と、該看板基板の裏面側に貼付されるカッティングシートとから成り、上記ＬＥＤユニットは、防水のための樹脂コーティングが施され、上記カッティングシートは、表示したい図柄や文字の形状にカットして形成されて、その貼付面側に光を乱反射する加工が施され、上記ＬＥＤ素子からの光が上記看板基板の下端面から取り入れられた時には、当該光が上記カッティングシートの貼付面で乱反射することにより、表示したい図柄や文字部分のみを発光させることを特徴とする。
【００１１】
請求項２記載の考案は、請求項１を前提として、上記看板基板の表面側に、ガラス面などの平面に吸着する複数の吸盤を設けたことを特徴とする。
【考案の効果】
【００１２】
依って、請求項１記載の考案にあっては、アクリル樹脂製の板からなる看板基板に直接加工を施さず、カッティングシートを利用して、表示したい図柄や文字部分のみを発光させることができる関係で、超硬質ハードコートアクリルなどの硬質なアクリル樹脂を使用することが可能となり、且つ、表示したい図柄や文字に変更が生じた場合には、カッティングシートを貼りかえるだけで、表示したい図柄や文字を変更できるので、変更に係る作業が容易となると共に、それに伴うコストを低廉にすることが可能となる。
【００１３】
また、ＬＥＤユニットに防水のための樹脂コーティングが施されている関係で、雨などによってＬＥＤユニットが濡れた状態でも使用できるので、屋外での使用も可能となる。
【００１４】
請求項２記載の考案にあっては、看板基板の表面側に、ガラス面などの平面に吸着する複数の吸盤を設けた関係で、ビルの大型ガラス面などの裏面側に容易に固定することが可能となる一方、その取り外しも容易に行うことが可能となる。
【図面の簡単な説明】
【００１５】
【図１】本考案の実施例に係る電飾看板を示す分解して示す斜視図である。
【図２】同電飾看板を一部切欠して示す説明図である。
【図３】同電飾看板の使用状態を示す説明図である。
【考案を実施するための形態】
【００１６】
本考案は、上部に複数のＬＥＤ素子を配列したＬＥＤユニットと、該ＬＥＤユニットの上方に固定手段を介して立設されて、上記各ＬＥＤ素子からの光を下端面から取り入れるアクリル樹脂製の看板基板と、該看板基板の裏面側に貼付されるカッティングシートとから成り、上記ＬＥＤユニットは、防水のための樹脂コーティングが施され、上記カッティングシートは、表示したい図柄や文字の形状にカットして形成されて、その貼付面側に光を乱反射する加工が施され、上記ＬＥＤ素子からの光が上記看板基板の下端面から取り入れられた時には、当該光が上記カッティングシートの貼付面で乱反射することにより、表示したい図柄や文字部分のみを発光させるように構成したので、表示したい図柄や文字に変更が生じた場合には、カッティングシートを貼りかえるだけで、表示したい図柄や文字を変更できるので、変更に係る作業が容易となると共に、それに伴うコストを低廉にすることが可能となる。
【実施例】
【００１７】
以下、本考案を図示する好適な実施例に基づいて詳述すれば、該実施例に係る電飾看板１は、図１・図２に示す如く、上部に複数のＬＥＤ素子５を直線的に配置したＬＥＤユニット２と、該ＬＥＤユニット２の上方に固定手段たるカバー体２ａと一対のカバー板２ｅを介して立設されて、上記各ＬＥＤ素子５からの光を下端面から取り入れるアクリル樹脂製の看板基板３と、該看板基板３の裏面側に貼付されるカッティングシート４とからなる構成となっている。
【００１８】
更に詳しく説明すると、まず、ＬＥＤユニット２は、角柱状に形成され、その上面中央に複数のＬＥＤ素子５を直線的に配置し、全体を防水のために樹脂でコーティングされており、その長手方向に沿って後述するカバー体２ａで覆われる一方、同短手方向に沿って一対のカバー板２ｅで覆われる構成となっている。尚、ＬＥＤユニット２に防水のための樹脂コーティングが施されている関係で、カバー体２ａ・カバー板２ｅ内に雨などの水が浸入して、当該ＬＥＤユニット２が濡れた状態でも使用できるので、屋外での使用も可能となる。
【００１９】
そして、本実施例においては、当該ＬＥＤユニット２の一端側には、電源の供給を受けるための電源コード２ｂが設けられ、他端側にＬＥＤ素子５への通電状態と非通電状態を操作する操作スイッチ２ｃが設けられているが、本考案はこれに限定されるものではなく、操作スイッチ２ｃは、使用状況に応じて、ＬＥＤユニット２の一端側か他端側のどちら側に設けても良く、電源コード２ｂと同じ側に設けることも任意である。また、通常ＬＥＤ素子に通電する電源は、直流となるため、家庭用コンセントの交流電源を利用する場合には、変換器等により電源を直流に変換する必要があるが、電源コード２ｂを直接家庭用コンセントに差し込むことができるように、ＬＥＤユニット２内に、電源を交流から直流に変換する手段を設けることが望ましい。
【００２０】
次に、看板基板３について説明すると、該看板基板３は、アクリル樹脂製の矩形状の板であって、その下端面側に設けられた抜け止め片３ａと、同表面側の４隅付近に穿設された４つの取付孔３ｂとを有し、上記取付孔３ｂに吸盤６のネジ溝付き軸６ａを表面側から貫通するように挿入して、裏面側からキャップ７を螺合させることにより、同表面側に４つの吸盤６を設ける構成となっている。
【００２１】
そして、更に、固定手段たる上記カバー体２ａと一対のカバー板２ｅを利用して、ＬＥＤユニット２の上方に立設される構成となっているが、ここで、上記カバー体２ａは、対向する一対の挾持片２ｄを有し、当該一対の挾持片２ｄで看板基板３を表裏側から挾持する構成となっており、上記一対のカバー板２ｅは、それぞれ、スイッチ２ｃ又は電源コード２ｂに応じて、これらを外方に導く孔が穿設される構成となっている。尚、当該看板基板３は、上記取付孔３ｂ以外には、その表面側と裏面側のいずれにも何ら加工が施されていないものである。
【００２２】
依って、アクリル樹脂製の板からなる看板基板３の表面側と裏面側のいずれにも何ら加工が施す必要がないため、例えば、超硬質ハードコートアクリルなどの硬質なアクリル樹脂を使用することが可能となると共に、看板基板３全体を曲面形状とすることも、実施に応じ任意である。
【００２３】
最後に、カッティングシート４について説明すると、該カッティングシート４は、表示したい図柄や文字の形状にカットして形成されて、その貼付面側に光を乱反射する加工が施される構成となっている。
【００２４】
依って、実際の使用に際しては、まず、看板基板３の裏面側の所定の位置にカッティングシート４を貼付することとなるが、この際に、当該カッティングシート４によって表現される図柄や文字が、その貼付面側、すなわち、看板基板３の表面側から読み取れるようにカッティングシート４を貼付するものとする。
【００２５】
次いで、カバー体２ａの一端側から、看板基板３の下端面側を、カバー体２ａの一対の挾持片２ｄ間に差し込んだ後、看板基板３をカバー体２ａの他端側方向にスライドさせて、一対のカバー板２ｅをそれぞれ取り付ければ、看板基板３は、その抜け止め片３ａで上方に抜け外れるのを防止され、且つ、一対のカバー板２ｅで左右方向に抜け外れるのを防止された状態で、一対の挾持片２ｄに表裏側から挾持されることとなるので、これにより、看板基板３がＬＥＤユニット２の上方に立設されることとなる。
【００２６】
そして、上述のように組み立てた電飾看板１を、看板基板３の表面側に設けられた各吸盤６を利用して、ビルの大型ガラス面Ｇの裏面側に吸着させれば、図３に示す如く、容易にガラス面に固定することが可能となる。尚、本実施例においては、電飾看板１を、看板基板３の表面側に設けられた各吸盤６によりガラス面などの平面に固定するものであるが、本考案は、これに限定されるものではなく、吸盤６を設けずに、電飾看板１を自立させるスタンド等を用いて、床面や地面に直接設置することも実施に応じ任意である。
【００２７】
最後に、電源コード２ｂの先端をコンセントに差し込んで、ＬＥＤユニット２の操作スイッチ２ｃをＬＥＤ素子５への通電状態に切り替えれば、各ＬＥＤ素子５が発光すると同時に、その光が看板基板３の下端面から取り入れられて、カッティングシート４の貼付面で乱反射するので、これにより、表示したい図柄や文字部分のみを発光させることが可能となる。
【００２８】
尚、表示したい図柄や文字に変更が生じた場合には、カッティングシート４を貼りかえるだけで、表示したい図柄や文字を変更できるので、変更に係る作業が容易となると共に、それに伴うコストを低廉にすることが可能となる。また、電飾看板１をガラス面などから取り外す場合には、各吸盤６の吸着状態を解除するだけでよいので、取り外しを容易に行うことが可能となる。
【産業上の利用可能性】
【００２９】
本考案に係る電飾看板は、表示したい図柄や文字部分のみを発光させることができるので、伝えたい情報を強調して表示することを可能としながらも、表示したい図柄や文字に変更が生じた場合には、カッティングシートを貼りかえるだけで、表示したい図柄や文字を変更できるので、これを屋内や屋外で使用する電飾看板として設置すれば、頗る好都合なものとなる。
【符号の説明】
【００３０】
１    電飾看板
２    ＬＥＤユニット
２ａ  カバー体
２ｂ  電源コード
２ｃ  スイッチ
２ｄ  挾持片
２ｅ  カバー板
３    看板基板
３ａ  抜け止め片
３ｂ  取付孔
４    カッティングシート
５    ＬＥＤ素子
６    吸盤
６ａ  軸
７    キャップ
Ｇ    ガラス面
【図１】
0003153712.tif 000003
【図２】
0003153712.tif 000004
【図３】
0003153712.tif 000005